(57)【要約】【課題】コート原紙をリワインダーにおいて巻き取る際、巻き取り枠のバウンド現象を抑止することである。【解決手段】リワインダーにおけるバウンド現象抑止の方法は、リールドラムを清浄化処理することを特徴とするものである。【選択図】  なし【特許請求の範囲】
【請求項１】
リワインダーのリールドラムに、ドラム表面を清浄化する清浄化手段を有することを特徴とする巻き取り装置。
【請求項２】
上記清浄化手段がドラム表面にエアを供給するエアーシャワーである請求項１記載の巻き取り装置。
【請求項３】
リワインダーにおいて塗工用原紙の巻き取り中、ドラム表面に連続又は断続的に清浄化処理を施してリールドラムを清浄化することを特徴とする巻き取り方法。
【発明の詳細な説明】
【技術分野】
【０００１】
本発明は、リワインダーにおける巻き取り装置及び巻き取り方法に関するものであり、さらに詳しくは塗工用原紙を巻き取る際に発生するバウンド現象を抑止するための巻き取り装置及び巻き取り方法に関するものである。
【背景技術】
【０００２】
リワインダーにおいて塗工用原紙を巻き取る際、バウンド現象が発生する場合がある。バウンド現象とはリワインダーリーラーにおいて巻き取り枠が大きく振動する現象で、枠踊りとも呼称されている。バウンド現象はリワインダーにおける紙切れの原因となり、操業上の重大な問題となっていた。これに対し、従来では、リワインダーの巻き取り速度を下げたり、塗工用原紙の下塗り層処方をバウンド現象が発生し難いものに変更したり、下塗り液の塗布量を下げてバウンド現象を抑止していた（例えば、特許文献１参照）。
【０００３】
しかしながら、巻き取り速度を下げれば生産効率の低下につながり、また下塗り液の塗布量を下げれば、その上に塗布するコート層の塗布量を増やしてバランスさせなければならず、品質安定性も勘案すれば経済的方法ではなく、バウンド現象の抑止に対して一層の改良が求められていた。
【特許文献１】特開２００３−２６８６９５号公報
【発明の開示】
【発明が解決しようとする課題】
【０００４】
本発明の目的は、塗工用原紙をリワインダーにおいて巻き取る際、枠のバウンド現象を抑止することにある。
【課題を解決するための手段】
【０００５】
本発明者らは、上記の課題について鋭意検討した結果、下記の発明をするに至った。即ち、リワインダーにおけるバウンド現象の抑止は、リールドラムを清浄化することにより達成された。
【発明の効果】
【０００６】
塗工用原紙をリワインダーにおいて巻き取る際、バウンド現象が発生しなくなった。バウンド現象が消滅したことにより、リワインダーにおけるバウンド現象に起因する紙切れがなくなり、併せてリワインダーの増速が可能となり、リワインダーの操業性が格段に向上するものである。また、下塗り液の塗布量を下げる必要がなくなることにより、コート原紙の品質安定が図られるものである。
【発明を実施するための最良の形態】
【０００７】
本発明において、リワインダーにおけるバウンド現象を防止するためのドラム表面を清浄化する清浄化手段及び方法としては、エアー供給手段であるエアーシャワー等によりリールドラム全幅にエアーを噴射する方法、リールドラムを布帛等で払拭する方法、リールドラムをブラシ掛けする方法、リールドラム表面をブレードでドクタリングする方法、リールドラム近傍に塵埃吸引装置を設置し、ドラム表面に付着する紙粉等を吸引除去する方法等が挙げられるが、本発明はこれらに限定されるものではない。
【０００８】
エアー供給手段によるリールドラムへのエアーの供給は、巻き取り中連続的であっても断続的であっても良い。供給口の形状はスリット型でもノズル型でも良く、両者を組み合わせた型でも良い。ノズル形状は円形噴射の他、楕円形等のドラム幅方向に広がった扁平形状でも良く、いずれも噴射範囲は必ずしもドラム全幅をカバーするものでなくても良い。また、エアーの供給量は、巻き取りに悪影響を及ぼさない範囲で、かつ巻き取り中にドラム表面に付着した紙粉を除去できる量であれば良い。
【０００９】
また、リールドラムを布帛等で払拭する場合は、布帛の幅は必ずしもリールドラム全幅でなくても良く、ドラムの回転と共に布帛をドラム幅方向に走査してドラム全周を払拭しても良い。払拭効率を向上させるために、布帛に水や洗浄剤を含む清浄液を適宜供給するのが好ましいが、布帛への供給量はリールドラムを介して塗工用原紙へ染み込むことのない量でなければならない。本発明に用いる布帛としては、払拭能を有する一般の織布や不織布を用いることができるが、払拭中に布帛が摩耗カスがドラムを不浄化することがないものでなければならない。布帛等での払拭は、巻き取り中連続的であっても断続的であっても、更には枠替え作業等でリールドラムに塗工用原紙が接触していない間に行っても良いが、巻き取り中連続的に払拭するのがより好ましい。
【００１０】
リールドラムをブラシ掛けする場合のブラシは、円筒形で全周にブラシ毛を有するもの、円筒形で螺旋状にブラシ毛を有するもの、断面矩形等で一方向または鋭角放散方向にブラシ毛を有するもの等、及びこれらを組み合わせたもの等が挙げられる。これらのうち、円筒形のものは回転させて、それ以外のものは植毛中心で首振りさせながら摺動させても良い。ブラシの摺接は巻き取り中連続的であっても断続的であっても良いが、特に支障がない限り巻き取り中連続的に摺接させるのが好ましい。
【００１１】
リールドラム近傍に塵埃吸引装置を設置し、ドラム表面に付着する紙粉等を吸引除去する場合は、これ単独では清浄化効果（集塵効果）にやや劣るので、ブラシやブレード等と組み合わせて用いるのが好ましい。
【００１２】
上述したように、これらの清浄化手段及び方法は、単独で用いても良いし、２種類以上を組み合わせて用いても良い。また、塗工用原紙の種類等により用いる清浄化手段を変更しても良い。更に、２種類以上を組み合わせて用いる場合には、作動のタイミングをずらしても良い。いずれにおいても、リールドラムの清浄化は必ずしも巻き取りに先だって、もしくは巻き取り開始と同時に行う必要はなく、巻き取り開始から一定時間または一定長さ巻き取った後から開始しても良いが、バウンド現象が誘発してから清浄化するより、誘発する前に行うのが好ましいので、巻き取り開始前後から行うのが良い。
【００１３】
上記清浄化手段及び方法は、清浄化効果において差があると雖もバウンド現象誘発防止効果としてはいずれも同等であるが、設置の容易性や摩耗等の劣化交換部材を清浄化手段の構成に包含しない点で、エアー供給手段であるエアーシャワー等によりリールドラム全幅にエアーを噴射する方法が好ましい。
【００１４】
実施例
以下、実施例により本発明を具体的に説明するが、本発明はこれら実施例に限定されるものではない。
【実施例１】
【００１５】
図１に示すように、リールドラム２近傍にエアーシャワー１を設置し、リワインダーにおいて塗工用原紙を巻き取る間中、リールドラム２全幅にエアー２１を連続噴射したところ、バウンド現象は全く発生しなかった。
【実施例２】
【００１６】
リワインダーに塗工用原紙を掛ける際、リールドラムを湿らせた清浄布で払拭したところ、１枠程度はバウンド現象を抑えることができた。
【実施例３】
【００１７】
リワインダーにおいて塗工用原紙を巻き取る間中、清浄布とドラムとの間に上方から水を滴らせながら清浄布をドラム幅方向に走査しながらリールドラムを払拭したところ、バウンド現象は全く発生しなかった。
【実施例４】
【００１８】
図２に示すように、ドラムの回転上流にリーラー３５、下流にアンリーラー３６を備え、これらの中間位置にあるパッド３３の付勢によりドラム全幅に不織布３１を押し当てる型の払拭手段３０を設置し、リワインダーにおいて塗工用原紙を巻き取る間中、リーラー３５にて断続的に不織布３１を巻き取りながらリールドラム２を払拭したところ、バウンド現象は全く発生しなかった。
【実施例５】
【００１９】
図２における払拭手段３０に代えて略同位置に円筒形のブラシを、その下方に塵埃吸引装置を設置し、リワインダーにおいて塗工用原紙を巻き取る間中、リールドラムと逆回転で回転摺接させながらブラッシングさせると共に、吸引装置においてブラッシュアウトした塵埃を集塵したところ、バウンド現象は全く発生しなかった。
【実施例６】
【００２０】
図２における払拭手段３０に代えて略同位置にブレードを設置し、リワインダーにおいて塗工用原紙を巻き取る間中、リールドラム表面をブレードでドクタリングしたところ、バウンド現象は全く発生しなかった。
【００２１】
（比較例１）
リールドラムに何ら清浄化処理を行わず塗工用原紙を巻き取ったところ、数分後にはバウンド現象が発生した。リワインダーの巻き取り速度を下げることなく操業を続けたところ、紙切れが発生し効率悪化を招いた。
【産業上の利用可能性】
【００２２】
本発明は、抄紙機・コーターのリーラーにおいても枠のバウンドを発生すれば、本装置及び方法が適用できる。
【図面の簡単な説明】
【００２３】
【図１】本発明の実施例に用いたエアーシャワー設置図
【図２】本発明に実施例に用いた払拭手段配置図
【符号の説明】
【００２４】
１  エアー噴射パイプ
２  リールドラム
３  巻き取り枠
４  テンションロール
５  エキスパンダーロール
１１  塗工用原紙
２１  エアーシャワー
３０  払拭手段
３１  不織布
３３  パッド
３５  リーラー
３６  アンリーラー
【図１】
2006044928.tif 000002
【図２】
2006044928.tif 000003